(57)【要約】  本発明は、長手方向に延びる寸法を有するヘッダ（１０）およびカバー（１１）と、ヘッダ（１０）とカバー（１１）との間に圧着された少なくとも１つのフランジ（８’）とを備えるヘッダボックス（３’）に関する。本発明によれば、−ヘッダ（１０）は、フランジ（８’）の延性とは異なる延性を有し、−前記フランジ（８’）で、ヘッダ（１０）および／またはフランジ（８’）の長手部分（１８）は、ヘッダ（１０）とカバー（１１）との間にフランジ（８’）が捕捉されるように圧延される。また、本発明は、このようなボックスを備える熱交換器およびこのようなボックスの圧着方法に関する。
2014515467.tif 000002
【特許請求の範囲】
【請求項１】
長手方向に延びる寸法を有するコレクタ（１０）およびカバー（１１）と、
前記コレクタ（１０）と前記カバー（１１）との間に圧着された少なくとも１つのフランジ（８’）とを備えるマニホールド（３’）であって、
前記コレクタ（１０）は、前記フランジ（８’）の延性とは異なる延性を有し、
前記フランジ（８’）のレベルで、前記コネクタ（１０）および／または前記フランジ（８’）の長手部分（１８）は、前記コレクタ（１０）と前記カバー（１１）との間に前記フランジ（８’）がブロックされるように、圧延されていることを特徴とするマニホールド（３’）。
【請求項２】
前記コレクタ（１０）は、前記フランジ（８’）をブロックする前記圧延された長手部分（１８）と、
前記コレクタ（１０）の長さの残りを残りの長手部分（１９）として規定する長手部分とを有し、
前記カバー（１１）は、前記コレクタ（１０）の前記残りの長手部分（１９）によってブロックされている、請求項１に記載のマニホールド（３’）。
【請求項３】
前記フランジ（８’）をブロックする前記コレクタ（１０）の前記長手部分（１８）および前記コレクタ（１０）の前記残りの長手部分（１９）が、同じ傾きを有する、請求項２に記載のマニホールド（３’）。
【請求項４】
前記フランジ（８’）をブロックする前記コレクタ（１０）の前記長手部分（１８）は、前記フランジ（８’）の方に圧延されている、請求項２または３に記載のマニホールド（３’）。
【請求項５】
前記フランジ（８’）は、足部（３２）を有し、前記足部に対して前記コレクタ（１０）が圧延されている、請求項１から４のいずれか一項に記載のマニホールド（３’）。
【請求項６】
前記足部（３２）は、長手方向に延びる寸法に従って、４０ｍｍ未満の距離にわたって広がる、請求項５に記載のマニホールド（３’）。
【請求項７】
前記足部（３２）は、長手方向に延びる寸法に従って、２０ｍｍに等しい距離にわたって広がる、請求項５または６に記載のマニホールド（３’）。
【請求項８】
前記コレクタ（１０）は、前記フランジ（８’）の前記足部（３２）に対して圧延される側方ウィング（１３）を有する、請求項５から７のいずれか一項に記載のマニホールド（３’）。
【請求項９】
前記側方ウィング（１３）は、前記コレクタの前記側方ウィング（１３）の残りより小さい初期厚みを有する、長手方向の自由縁を有する、請求項８に記載のマニホールド（３’）。
【請求項１０】
請求項１から９のいずれか一項に記載のマニホールド（３’）を備える熱交換器（１）。
【請求項１１】
長手方向に延びる寸法を有するコレクタ（１０）およびカバー（１１）と、少なくとも１つのフランジ（８’）とを備えるマニホールド（３’）の圧着方法であって、前記コレクタ（１０）と前記カバー（１１）との間に前記フランジ（８’）が圧着される圧着方法であり、
前記コレクタ（１０）および／または前記フランジ（８’）の一部を圧延することによって、単一の動作で、前記コレクタ（１０）と前記カバー（１１）との間に前記フランジ（８’）がブロックされ、前記カバー（１１）が、前記コレクタ（１０）によってブロックされるように、前記コレクタ（１０）は、単一のパンチプロファイル（３０）を用いて前記カバー（１１）に圧着されることを特徴とする圧着方法。
【請求項１２】
前記コレクタの延性が、前記フランジの延性より高いため、前記コレクタは圧延されている、請求項１１に記載の圧着方法。
【発明の詳細な説明】
【技術分野】
【０００１】
本発明は、コレクタ、カバーおよび少なくとも１つのフランジを備えるマニホールド、前記マニホールドを備える熱交換器およびこのタイプのマニホールドの圧着方法に関する。
【０００２】
本発明は、例えば、空調ループの熱交換器など、任意のタイプの熱交換器、特に、自動車用の任意のタイプの熱交換器に適用する。
【背景技術】
【０００３】
この分野において、互いに平行な１列または複数列に互いに平行に配設されているチューブの束を備える交換器が知られており、これらのチューブは、空気がチューブ間を流れて冷却剤流体と熱を交換しながら、冷却剤流体を輸送するように構成される。
【０００４】
チューブは、通過孔を介してマニホールド、すなわち、流入マニホールドおよび流出マニホールドに接続される。冷却剤流体は、流入マニホールドから流出マニホールドへチューブ内を流れる。
【０００５】
マニホールドは、長手方向に開いた壁を有するコレクタと、ろう付け後、コレクタを閉じるカバーとを備える。ろう付け前にカバーおよびコレクタを事前に組み立てるために、カバーおよびコレクタを圧着することが知られている。この目的のために、コレクタは側方ウィングを有し、側方ウィングの一部は、マニホールドを閉じるために、カバーの周囲に圧着される。
【０００６】
これらのマニホールドには、流入マニホールド内への流入口と、流出マニホールドからの流出口とを有する流体接続フランジが追加される。これらの流出入口は、熱交換器への流体の流出入を可能にする。
【０００７】
また、例えば、車両の適切な支持体に熱交換器を固定するように構成され、かつ／または、コレクタの一方と流通状態にある流体貯蔵ボトルの締結用に構成されるフランジなどの他のフランジが、マニホールドに追加されうる。
【０００８】
コレクタおよびカバーの事前組み立て中、フランジの一部も、コレクタの一部とカバーとの間に圧着される。
【０００９】
圧着動作を行うために、２つの異なるタイプのパンチを使用することが知られている。フランジの圧着部分の厚みはゼロではないため、カバーに圧着されるフランジの一部にコレクタの一部を圧着するために使用される第１のパンチは開放角を有する。一方で、第２のパンチは、より閉鎖された角度を有するため、コレクタの残りをさらにそり返らせることができ、したがって、コレクタの残りをカバーに圧着できる結果、アセンブリは、ろう付け前に適正にブロックされる。
【００１０】
この方法の欠点は、単一の圧着動作を行うために２つの異なるパンチを使用することである。実際、マニホールドに存在するフランジの数および位置に応じて、パンチを位置決めする必要がある。したがって、製造時の熱交換器モデルに応じて、定期的にパンチを変更する動作を行う必要があり、時間の浪費、ひいては、生産性の低下を生じる。
【発明の概要】
【発明が解決しようとする課題】
【００１１】
本発明の目的は、上述した問題を解消することである。
【課題を解決するための手段】
【００１２】
この目的のために、本発明は、長手方向に延びる寸法を有するコレクタおよびカバーと、コレクタとカバーとの間に圧着された少なくとも１つのフランジとを備えるマニホールドを提案する。
【００１３】
本発明によれば、
−コレクタは、フランジの延性とは異なる延性を有し、
−前記フランジのレベルで、コレクタおよび／またはフランジの長手部分は、コレクタとカバーとの間にフランジがブロックされるように圧延される。
【００１４】
このように、本発明は、コレクタおよび／またはフランジの長手部分が圧延され、すなわち、コレクタおよび／またはフランジが局所的に変形され、特に、平坦化および／または圧縮されるマニホールドを構成することからなる。したがって、本発明によれば、圧着中にフランジによる材料の過度の厚みが部分的に除去されるため、コレクタの残りとカバーとを同時に圧着しやすくなる。
【００１５】
このように、本発明を用いることによって、コレクタおよび／またはフランジの長手部分の厚みが低減することで、フランジがない場合でも、コレクタおよびカバーを塞ぎやすくなるため、コレクタをフランジおよびカバーに圧着するために、単一のパンチプロファイルを使用可能である。
【００１６】
本発明の一態様によれば、コレクタは、フランジをブロックする前記圧延された長手部分と、コレクタの長さの残りを残りの長手部分として規定する長手部分とを有し、カバーは、コレクタの残りの長手部分によってブロックされる。本発明のこの態様によれば、最も延性が高いのはコレクタであり、前記圧延された長手部分は、圧延されていないコレクタの残りより薄い厚みを有する。
【００１７】
本発明の一態様によれば、少なくともカバーおよび／またはフランジに対面する表面とは反対の表面のレベルで、フランジをブロックするコレクタの長手部分およびコレクタの残りの長手部分は同じ傾きを有する。この傾きにより、コレクタはフランジをブロックすることができるとともに、フランジがない場所で、フランジをブロックする前記長手部分が圧延されるという事実を利用することによってカバーをブロックすることができる。
【００１８】
１つの実施形態によれば、フランジをブロックするコレクタの長手部分は、フランジ、特に、フランジの機能部（締結および／または流体の循環）を備える本体を形成するフランジの一部の方へ圧延される。
【００１９】
好適には、フランジは、コレクタが圧延されて接する足部を有し、例えば、本体に接続される。この足部は、長手方向に延びる寸法に従って、例えば、４０ｍｍ未満の距離、特に、２０ｍｍに等しい距離にわたって広がる。
【００２０】
本発明の一態様によれば、コレクタは、フランジの足部に対して圧延される側方ウィングを有する。
【００２１】
１つの実施形態によれば、側方ウィングは、コレクタの側方ウィングの残りより薄い初期厚みを有する、長手方向の自由縁を有する。
【００２２】
また、本発明は、前記に規定されたようなマニホールドを備える熱交換器に関する。
【００２３】
また、本発明は、長手方向に延びる寸法を有するコレクタおよびカバーと、少なくとも１つのフランジとを備えるマニホールドの圧着方法に関する。
【００２４】
この方法によれば、コレクタおよび／またはフランジの長手部分を圧延することによって、１回の動作で、フランジがコレクタとカバーとの間にブロックされ、カバーがコレクタによってブロックされるように、単一のパンチプロファイルを用いて、フランジはコレクタとカバーとの間に圧着され、コレクタはカバーに圧着される。
【００２５】
本発明を用いることによって、コレクタ、フランジおよびカバーの圧着のために単一のパンチプロファイルが使用されるため、圧着されるマニホールドのモデルに応じてパンチプロファイルを変更することがないため、このタイプの圧着動作の生産性が向上する。
【００２６】
本発明の変形例によれば、コレクタの延性がフランジの延性より高いため、前記コレクタは圧延される。
【００２７】
添付の図面により、本発明の実施方法が明らかになるであろう。同図において、同一の参照番号は同様の要素を示す。
【図面の簡単な説明】
【００２８】
【図１】本発明によるマニホールドを備える熱交換器の実施形態の概略平面図である。
【図２】図１の線ＩＩ−ＩＩに沿った、コレクタをフランジに圧着した後のマニホールドの横断面図である。
【図３】図１の線ＩＩＩ−ＩＩＩに沿った、フランジがない位置における、コレクタをカバーに圧着した後のマニホールドを表す図２に類似した図である。
【図４】フランジがない位置における、カバーに圧着されたコレクタがまた波線で表されている、図２に類似した図である。
【図５】本発明による、コレクタ、カバーおよびフランジを備えるマニホールドの概略透視図である。
【図６】変形実施形態を表す、図４に類似した図である。
【図７】本発明によるフランジにコレクタを圧着する前（図７ａ）および圧着した後（図７ｂ）の母材上に配置されたマニホールドを表す図２に類似した図である。
【発明を実施するための形態】
【００２９】
本発明の応用は、例えば、図１に示すような熱交換器である。この交換器は、特に、車室内の空調ループの凝縮器である。
【００３０】
熱交換器１は、平行なチューブ２の束を含むことができ、チューブの両端部２Ａは、チューブ２内を循環する冷却剤流体の循環方向Ｆに従って、それぞれ、流入マニホールド３および流出マニホールド４に固定密封状態に接続される。これらの流入マニホールド３および流出マニホールド４は、流入フランジ５および流出フランジ６を備え、流入フランジ５および流出フランジ６は、接続部品に取り付けられる流入接続部８および流出接続部９に接続されて、流体が循環ループを流れるようにする。
【００３１】
特に、流体が循環するチューブ２は、扁平な横断面を有し、チューブ間には、熱交換器１内を循環する流体と、熱交換器を通過する外気流との間の熱交換表面を増大させるガイド７が設けられる。また、チューブ２の内部は、ガイド７のように、熱交換表面を増大させ、チューブの機械的強度を高める攪拌部（ａｇｉｔａｔｏｒ）を含みうる。また、チューブは押出しチューブでありうる。各チューブは、例えば、流体を循環させるための複数の平行な内側チャネルを規定する。
【００３２】
マニホールド３、４は、他のフランジ３５を備えることもでき、フランジ３５は、熱交換器１を車両の適切な支持体に固定するように構成され、かつ／または、マニホールドの一方と流通状態にある流体貯蔵ボトルの締結用に構成される。
【００３３】
熱交換器１が備える上述した異なる要素は、特に、互いにろう付けされる。
【００３４】
図２に、本発明によるマニホールドがさらに詳細に示されている。このマニホールドは、全体にわたって同一のものであるため、流入マニホールド３および／または流出マニホールド４と同等のものでありえ、以下、本明細書においては、マニホールド３’とする。慣例により、本発明によるマニホールド３’の説明を簡略化するために、デカルト基準（ｏ，ｘ，ｙ，ｚ）が形成され、方向ｏ−ｘはマニホールド３’の幅方向として規定され、ｏ−ｙは高さ方向であり、ｏ−ｚは長さ方向である。
【００３５】
図２〜図４、図６、図７ａおよび図７ｂは、方向ｏ−ｙに平行な対称軸Ａに沿ってマニホールド３’の断面を表していることに留意されたい。したがって、これらの図に関する後続の説明は、マニホールド３’の第１の部分に関するものであり、対称軸Ａの他方側に位置する対称部分は同一のものである。これらの図において、図１に示されているチューブ２は、図を簡略化する目的のために示されていない。
【００３６】
図２に示す実施例において、本発明によるマニホールド３’は、概して管状の形を有する。このマニホールドは、例えば、「２部構成」タイプのものであり、すなわち、２つの別個の部品で構成されたコレクタ１０およびカバー１１を備える。前述したように、このマニホールドは、少なくとも１つのフランジをさらに備える。このフランジは、流入フランジ８もしくは流出フランジ９および／または別のフランジ３５と同等のものでありえ、後続の説明において、図２〜図７ｂに示すフランジはフランジ８’とする。図２には、単一のフランジ８’が示されているが、マニホールド３’は、コレクタ１０とカバー１１との間に各々が圧着された複数のフランジ８’を備えてもよい。このように、圧着動作により、コレクタ１０およびカバー１１だけでなく、フランジ８’も予め組み立てることができる。
【００３７】
コレクタ１０は、例えば、略「Ｕ」字状の横断面を有し、かつ、２つの平行なブランチまたは側方ウィング１３によって延長された基部１２を規定する壁を有し、コレクタの遠位端は、カバー１１で閉じられる長手方向の開口の範囲を定める。コレクタ１０の基部１２には、基部のすべてに沿って扁平スロット１５が設けられ、平行なチューブ２の対応する端部が扁平スロットに収容される。これらの扁平スロットは、カラー１６に隣接されうる。
【００３８】
また、カバー１１は、例えば、「Ｕ」字状の横断面を有し、カバーの壁は基部２１を形成し、基部２１は、特に、コレクタ１０のものより短い平行な側方ブランチ２２によって延長されたわずかに凹形のものである。寸法、特に、カバーの幅の寸法は、側方ブランチ２２が、コレクタ１０の側方ウィング１３間に前端から後端にわたって嵌まるような大きさである。
【００３９】
マニホールド３’は、長手方向に延びる寸法を有し、すなわち、マニホールドの長さは、方向ｏ−ｚに沿って延伸する。このように、コレクタ１０、カバー１１およびフランジ８’もまた、長手方向に延びる寸法を有する。
【００４０】
カバー１１およびコレクタ１０のアセンブリは、ループの流体が循環されるように運ばれる内側空間２４を規定する。コレクタ１０およびカバー１１のそれぞれの「Ｕ」字形が嵌め込まれることにより、マニホールド３’の横断面は略矩形となるが、異なるものであってもよい。
【００４１】
マニホールド３’を閉じるために、マニホールド３’の長手方向の端部の各々に、図示していない仕切りが任意選択的に設けられる。また、マニホールド３’の２つの部分を互いに対して気密密閉された状態にしうる中間仕切りが設けられうる。これらの仕切りは、例えば、カバー１１を位置決めするための止め子を備える。
【００４２】
本発明によれば、コレクタ１０は、フランジ８’の延性とは異なる延性を有し、前記フランジ８’のレベルで、コレクタ１０とカバー１１との間にフランジ８’がブロックされるように、コレクタ１０の長手部分１８が圧延される。
【００４３】
例示した実施例において、コレクタ１０の延性は、フランジ８’の延性より高く、したがって、圧延される部分は、コレクタ１０の長手部分１８であるが、本発明により、フランジ８’の長手部分も圧延されてもよい。
【００４４】
フランジ８’を塞ぎ、フランジ８’の方へ圧延されたコレクタ１０の長手部分１８は、側方ウィング１３の遠位端のレベルに位置し、フランジ８’に沿った長手方向、すなわち、ｏ−ｚの方向に延伸する。
【００４５】
フランジ８’をブロックする長手部分１８は、長手部分１８が属する側方ウィング１３の残りに対して傾斜され、すなわち、側方ウィング１３が延伸する方向ｏ−ｙに沿って、方向ｏ−ｙに対して傾斜角度を有する。コレクタ１０とカバー１１との間にフランジ８’をブロックするようにフランジ８’の表面の一部と整合させるために、長手部分にこのような傾斜をもたらし、長手部分を圧延し、フランジ８’と接触した状態にするのは、圧着動作である。
【００４６】
図３は、同じマニホールド３’の図２の平面に対して平行な平面にあるが、コレクタ１０とカバー１１との間に圧着されたフランジ８’がない位置における断面図である。
【００４７】
このように、コレクタ１０は、残りの長手部分１９、すなわち、コレクタ１０の長さの残りを残りの長手部分、すなわち圧着されたフランジ８’が存在しない長手部分、として規定する長手部分のレベルにて表されている。フランジ８’をブロックする長手部分１８のように、残りの長手部分１９は、コレクタ１０の側方ウィング１３の遠位端のレベルに位置する。
【００４８】
また、残りの長手部分１９は、長手部分１９が属する側方ウィング１３の残りに対して傾斜され、すなわち、側方ウィング１３が延伸する方向ｏ−ｙに沿って、方向ｏ−ｙに対して傾斜角度を有する。カバー１１をブロックするようにカバー１１の表面の一部と整合させるために、長手方向にこのような傾斜をもたらし、カバー１１と接触状態にするのは、圧着動作である。
【００４９】
圧着動作が、フランジ８’をブロックする長手部分１８に対するものであろうと、残りの長手部分１９’に対するものであろうと、圧着動作は、マニホールド３’が備える要素をろう付けする前の事前組み立て動作である。
【００５０】
図４は、フランジ８’をブロックする長手部分１８と、残りの長手部分１９とを重ねて示しうる。前述したように、フランジ８’をブロックするコレクタ１０の長手部分１８は圧延され、コレクタ１０の残りの長手部分１９と比較して厚みが薄く長さが長い。一方で、両方の長手部分は少なくともカバーの反対の表面のレベルで互いに同一の傾きを有する。また、同図において、コレクタ１０の長手部分１８は、フランジ８’に到達することなく、フランジ８’の方へ圧延されていることが分かる。
【００５１】
図２および図３から分かるように、このような同じ傾きは、第１に、フランジ８’をブロックするコレクタ１０の長手部分１８がフランジ８’をブロックすることができる大きさのものであり、第２に、コレクタ１０の残りの部分がカバー１１をブロックすることができる大きさのものである。このようにして、コレクタ１０の全長に沿ってコレクタ１０に単一の傾きを得るように圧着動作を行うために、単一のツールプロファイル、例えば、パンチ３０を使用することが可能である。
【００５２】
フランジ８’は、管状の形をした中央本体３１と、基部２１の形状およびカバー１１の側方ウィング２２の先頭と整合するようにわずかに湾曲されたフランジ８’の端部に位置する周端壁とを備える。フランジ８’の前記周端壁は、２つの部分を有し、これらの２つの部分は、フランジ８’の中央本体３１に対して突出し、互いに対向した位置にあり、足部３２とする。図２、図４、図６、図７ａおよび図７ｂに、単一の足部３２が示され、コレクタが圧延されるのは、少なくともこの足部３２に対してである。足部３２に対して圧延されるのは、特に、側方ウィング１３の一部分である。
【００５３】
この足部３２は、長手方向に延びる寸法に従って、すなわち、方向ｏ−ｚに沿って、例えば、４０ｍｍより短い距離、特に、２０ｍｍにわたって広がる。
【００５４】
図５は、本発明によるマニホールド３’の透視図である。同図は、フランジ８’をブロックする長手部分１８の長手延長部と、残りの長手部分１９の長手延長部とを示しうる。
【００５５】
また、同図は、わずかに圧延され、フランジ８’をブロックする長手部分１８と、残りの長手部分１９との間に接合部を形成する接続領域３６を表しうる。
【００５６】
図６は、本発明の変形例を示し、本発明の変形例によれば、側方ウィング１３は、側方ウィング１３の残りより小さい初期厚みを有する。言い換えれば、側方ウィング１３は、コレクタ１０の基部１２付近に位置する側方ウィング１３の領域より薄い厚みを有する遠位端のレベルに位置する部分を有する。
【００５７】
本発明のこの変形例において、フランジ８’をカバー１１に対してブロックするために、フランジ８’のレベルで圧着され圧延されるのは、より小さい厚みを有するこれらの部分である。また、フランジ８’がない位置においてカバーをブロックするために圧着されるのは、より小さい厚みを有するこれらの部分である。
【００５８】
本発明によるマニホールドは、例えば、前述した構造を有する空調回路の凝縮器または蒸発器などの熱交換器に対して特定の応用を有する。また、これらのマニホールドは、例えば、エンジンの冷却用ラジエータ、室内暖房用ラジエータ、排気ガス冷却器または過給気冷却器など、すべてのタイプの自動車用熱交換器に適用されうる。
【００５９】
図７ａおよび図７ｂに示すように、本発明はまた、長手方向に延びる寸法を有するコレクタ１０およびカバー１１と、少なくとも１つのフランジ８’とを備える、前述したようなマニホールド３’の圧着方法に関する。
【００６０】
この方法は、参照番号４０の矢印で図７ａに示すステップを含み、このステップにより、フランジ８’はコレクタ１０とカバー１１との間に圧着され、コレクタ１０は単一のパンチプロファイル３０を用いてカバー１１に圧着されることで、図７ｂに示すように、フランジ８’は、コレクタ１０とカバー１１との間にブロックされ、カバー１１は、コレクタ１０および／またはフランジ８’の長手部分を圧延することによって、単一の動作で単一のタイプのパンチ３０を用いてコレクタ１０によってブロックされる。
【００６１】
この方法を実行するために、マニホールド３’は、母材４５に事前に配置される。コレクタ１０は、側方ウィング１３および基部１２のそれぞれの外壁のレベルで母材４５と接触状態にある。このようにして、コレクタ１０がカバー１１およびフランジ８’に圧着されると、マニホールドは母材４５内の適所に保持される。
【００６２】
単一のパンチプロファイルを使用することで、フランジ８’をブロックするコレクタ１０の長手部分１８およびコレクタ１０の残りの長手部分１９に対して同じ傾きを与え、この傾きは、フランジ８’およびカバー１１をブロックするのに十分なものであり、１回の圧着動作を行うことで得られる。
【００６３】
したがって、複数のパンチプロファイルを使用したり、マニホールド上でのフランジの存在および位置決めに応じてパンチプロファイルの位置を変えたりする必要がなくなる。このようにして、同じパンチプロファイルを用いていくつかの異なるマニホールドモデルを圧着することが可能になる。
【００６４】
図２から図７ｂに示す実施例において、前述したように、コレクタ１０の延性はフランジ８’のものより高い。このようにして、圧着動作中、コレクタ１０は圧延される。コレクタは、例えば、フランジ８’の方に圧延され、特に、中央本体３１の方に圧延される。これに限ったものでなないが、好適にはコレクタ１０は、フランジ８’に到達することなく、フランジ８’の方に圧延される。
【図１】
2014515467.tif 000003
【図２】
2014515467.tif 000004
【図３】
2014515467.tif 000005
【図４】
2014515467.tif 000006
【図５】
2014515467.tif 000007
【図６】
2014515467.tif 000008
【図７ａ】
2014515467.tif 000009
【図７ｂ】
2014515467.tif 000010
【国際調査報告】
2014515467.tif 000011
2014515467.tif 000012
2014515467.tif 000013
2014515467.tif 000014